(57)【要約】【課題】省エネモード中に安定した電力供給を行いつつ、電力使用量を抑制する画像処理装置及び省エネサーバシステムを提供する。【解決手段】ＡＣ電源からＤＣ電力を生成するＡＣ電源手段と、発電によりＤＣ電力を生成する発電手段と、電力を充電する充電池と、電力を充電するキャパシタと、電源の切り替えをＡＣ電源手段と充電池との間で行う電源切り替え手段と、他の装置からの電源の切り替えの指示を検出する電源切り替え指示検出手段と、電源切り替え指示検出手段により検出された電源切り替え指示に基づき、電源切り替え手段による電源の切り替えを制御する電源切り替え制御手段と、を有する。【選択図】図１
2011254372.tif 000002
【特許請求の範囲】
【請求項１】
ＡＣ電源からＤＣ電力を生成するＡＣ電源手段と、
発電によりＤＣ電力を生成する発電手段と、
電力を充電する充電池と、
電力を充電するキャパシタと、
電源の切り替えを前記ＡＣ電源手段と前記充電池との間で行う電源切り替え手段と、
他の装置からの電源の切り替えの指示を検出する電源切り替え指示検出手段と、
前記電源切り替え指示検出手段により検出された電源切り替え指示に基づき、前記電源切り替え手段による電源の切り替えを制御する電源切り替え制御手段と、を有することを特徴とする画像処理装置。
【請求項２】
前記充電池の充電量を算出する充電量算出手段をさらに有し、
前記電源切り替え制御手段は、
前記充電量算出手段により算出された前記充電池の充電量が所定の値より小さいときは、前記電源切り替え手段による前記ＡＣ電源手段から前記充電池への電源の切り替え制御を行わないことを特徴とする請求項１に記載の画像処理装置。
【請求項３】
前記充電量算出手段により算出された前記充電池の充電量に基づき、前記充電池によるＤＣ電力の供給可能時間を算出する電池電源供給可能時間算出手段をさらに有し、
前記電源切り替え制御手段は、
前記電池電源供給可能時間算出手段により算出された供給可能時間に基づき、前記電源切り替え手段により電源切り替えを制御することを特徴とする請求項２に記載の画像処理装置。
【請求項４】
前記電源切り替え制御手段は、
電源が前記ＡＣ電源手段であるとき、電源が前記ＡＣ電源手段に切り替わってからの時間が所定の時間より短い間は、前記電源切り替え手段による前記ＡＣ電源手段から前記充電池への電源の切り替え制御を行わないことを特徴とする請求項１から３のいずれか１項に記載の画像処理装置。
【請求項５】
前記電源切り替え手段による電源の切り替えが行われたことを他の装置に通知する電源切り替え通知手段をさらに有することを特徴とする請求項１から４のいずれか１項に記載の画像処理装置。
【請求項６】
前記電源切り替え通知手段は、
ＡＲＰパケット応答のリトライ回数に用いて電源切り替えを通知することを特徴とする請求項５に記載の画像処理装置。
【請求項７】
前記電源切り替え通知手段は、
電源切り替えについての情報を含む独自パケットを生成し、当該独自パケットにより電源切り替えの通知を行うことを特徴とする請求項５に記載の画像処理装置。
【請求項８】
前記独自パケットは、前記電源切り替え指示も含んでおり、
前記電源切り替え指示検出手段は、
前記独自パケットを検出することにより前記電源切り替え指示を検出することを特徴とする請求項１から８のいずれか１項に記載の画像処理装置。
【請求項９】
請求項８に記載の複数の画像処理装置と、省エネ監視用サーバ装置と、を有して構成される省エネサーバシステムであって、
前記省エネ監視用サーバ装置は、
前記独自パケットに用いて前記複数の画像処理装置を一括管理することを特徴とする省エネサーバシステム。
【発明の詳細な説明】
【技術分野】
【０００１】
本発明は、画像処理装置の省エネシーケンス制御技術に関する。
【背景技術】
【０００２】
コピー／プリンタ／ＦＡＸなどを搭載したＭＦＰなどの画像処理装置では、世の中の環境意識の高まりから、待機中の消費電力を一層削減することが求められている。このために、消費電力自体を下げる努力に行われている。また、省エネモード中の電力は、充電池（二次電池）で供給するという構成の画像処理装置も用いられるようになってきている。
【０００３】
例えば、特許文献１には、充電池を備えた画像処理装置が開示されている。この特許文献１に開示された画像処理装置は、省エネモードから通常動作モードへ復帰するための復帰要因を検知する復帰要因検知部と、充電池状態を検知する充電池状態検知部と、復帰要因検知部への電力供給源を選択し切り替えを行う電源選択・切り替え部と、充電池への充電元を選択し切り替える充電元選択・切り替え部と、を備えている。
【０００４】
特許文献１に開示された画像処理装置は、この構成により、充電池の状態が所定の値を下回ったことを充電池状態検知部が検知したら、電源選択・切り替え部により、複数の電力源の中で最小の消費電力の電力源から復帰要因検知部への電力供給をオンにし、充電池から復帰要因検知部への電力供給をオフにする。また、充電元選択・切り替え部により、複数の電力源の中で最小な消費電力の電力源から充電池への電力供給をオンにし、充電池の充電を行う。そして、充電池の充電が終了したら、電源選択・切り替え部により、充電池から復帰要因検知部への電力供給をオンにし、複数の電力源の中で最小消費電力の電力源から復帰要因検知部と充電池への電力供給をオフにする。
【発明の概要】
【発明が解決しようとする課題】
【０００５】
特許文献１に開示された画像処理装置では、ＡＣ電力や外部電力を用いて充電池の充電を行っている。このため、ＡＣ０Ｗを実現してはいるが、画像処理装置としての単位時間あたりのＡＣ消費電力量自体を下げることは出来ていない。これは、特許文献１に開示された画像処理装置では、充電した電力を放電しているのみであり、充電する電力は１００％電池へ蓄電出来ず、充電の効率が落ちるためマイナスになるためである。
【０００６】
また、特許文献１に開示された画像処理装置では、複数の電力源があるため、充電元の選択や電源の選択を必要がある。このため、これらの選択を行うために、電源選択・切り替え部や充電元選択・切り替え部が必要になり、構成が複雑になり、製造コストがあがってしまう。
【０００７】
また、特許文献１では、充電池の状態が所定値を下回ったときに自機の判断により、充電池からの電力供給のシャットダウンを行うのみである。このため、画像処理装置の既存機能を生かした上で、外部から画像処理装置の状態を監視するフェイルセーフを考慮した省エネ電源管理は出来ない。
【０００８】
そこで本発明は、上記問題点に鑑みてなされたもので、省エネモード中に安定した電力供給を行いつつ、電力使用量を抑制する画像処理装置及び省エネサーバシステムを提供することを目的とする。
【課題を解決するための手段】
【０００９】
上記課題を解決するため、本発明における画像処理装置は、ＡＣ電源からＤＣ電力を生成するＡＣ電源手段と、発電によりＤＣ電力を生成する発電手段と、電力を充電する充電池と、電力を充電するキャパシタと、電源の切り替えを前記ＡＣ電源手段と前記充電池との間で行う電源切り替え手段と、他の装置からの電源の切り替えの指示を検出する電源切り替え指示検出手段と、前記電源切り替え指示検出手段により検出された電源切り替え指示に基づき、前記電源切り替え手段による電源の切り替えを制御する電源切り替え制御手段と、を有することを特徴とする。
【００１０】
また、本発明における省エネサーバシステムは、上記本発明における複数の画像処理装置と、省エネ監視用サーバ装置と、を有して構成される省エネサーバシステムであって、前記省エネ監視用サーバ装置は、前記独自パケットに用いて前記複数の画像処理装置を一括管理することを特徴とする。
【発明の効果】
【００１１】
本発明により、省エネモード中に安定した電力供給を行いつつ、電力使用量を抑制することができる。
【図面の簡単な説明】
【００１２】
【図１】本発明の実施形態に係る画像処理装置の構成例を示す図である。
【図２】本発明の実施形態に係る独自パケットの構成例を示す図である。
【図３】本発明の実施形態に係る画像処理装置における処理動作例を示す図である。
【図４】本発明の実施形態に係る画像処理装置における処理動作例を示す図である。
【図５】本発明の実施形態に係る省エネサーバシステムの構成例を示す図である。
【発明を実施するための形態】
【００１３】
次に、発明を実施するための形態について図面を参照して詳細に説明する。
【００１４】
＜画像処理装置１００の構成例＞
図１は、本発明の実施形態に係る画像処理装置１００の構成例を示す図である。
【００１５】
本実施形態に係る画像処理装置１００は、ＡＣ電源手段１１０と、発電手段１２０と、充電池１３０と、ＤＣ／ＤＣコンバータ１４０と、キャパシタ１５０と、出力電源１６０と、電源切り替え手段１７０と、ＡＳＩＣ１８０と、ＰＨＹ１９０と、を有して構成される。
【００１６】
ＡＣ電源手段１１０は、ＡＣ（Alternative Current）電源２００からＤＣ（Direct Current）電力を生成する。
【００１７】
発電手段１２０は、発電を行う。例えば、画像処理装置１００内の回転軸の回転エネルギーや熱源の熱エネルギーなどを電力に変換することにより発電を行う。
【００１８】
発電手段１２０としては、例えば、ハブダイナモなどのモジュールが考えられ、このハブダイナモなどを画像処理装置１００内の回転軸に実装し、この回転軸の回転エネルギーを変換することで発電を行うようにすると良い。また、例えば、発電手段１２０として、熱エネルギーにより発電するシートを、画像処理装置１００内のトナー定着のための熱源近くに実装するようにし、この熱源からの熱エネルギーを変換することで発電するようにしても良い。
【００１９】
このような発電手段１２０により、例えば、数ワットレベルの発電を行うようにすると良い。また、必要に応じて、発電手段１２０が、発電された電力を整流する手段や、発電された電力の電圧を変換する手段などを備えるようにし、発電された電力を画像処理装置１００内で使用な可能な状態にするようにすると良い。
【００２０】
充電池１３０は、第１の充電手段であり、ＡＣ電源手段１１０により生成されたＤＣ電力や、発電手段により発電された電力を充電する。充電地１３０としては、例えば、ニカド充電池や、ニッケル水素充電池、リチウムイオン充電池、ＳＣｉＢ（Super Charge ion Battery）などを使用すると良い。また、充電池１３０に充電する際、充電池１３０の仕様に応じて、ツェナーダイオードなどにより定電圧を生成し、充電するようにすると良い。
【００２１】
充電池１３０に充電された電力は、図１に示す矢印Ａにように、電源切り替え手段１７０を通じて、出力電源１６０などの負荷に供給される。
【００２２】
ＤＣ／ＤＣコンバータ１４０は、ＡＣ電源手段１１０により生成されたＤＣ電力や、充電池１３０からの電力を所望の電圧に効率良く変換して出力する。
【００２３】
キャパシタ１５０は、第２の充電手段であり、図１に示す矢印Ｂのように、ＤＣ／ＤＣコンバータ１４０の出力電力が蓄えられる。キュパシタ１５０は、ＤＣ／ＤＣコンバータ１４０による出力電圧に耐電圧を確保するようにする。キャパシタ１５０は、例えば、電気二重層キャパシタと呼ばれるデバイスにし、大容量ものを使用すると、過渡的な大電流に耐えることが可能になる。
【００２４】
また、電気二重層キャパシタは、数ヶ月充電しない状態であっても、５０％以上の容量が残るデバイスである。また、電気二重層キャパシタは、過放電を行うと、かかる電圧がキャパシタの下限電圧を下回り、キャパシタの容量や内部抵抗に劣化が生じることがある。このため、充放電サイクルの管理をする必要がある。
【００２５】
出力電源１６０は、ＤＣ／ＤＣコンバータ１４０の出力電源である。
【００２６】
電源切り替え手段１７０は、電源の切り替えを行う。充電池１３０に充電を行う際には、ＡＣ電源１１０等からの電力が充電池１３０に供給されるようにし、画像処理装置で消費する電力を供給する電力源として、充電池１３０を使用するときは、ＡＣ電源１１０等からの電力の供給を遮断する。
【００２７】
電源切り替え手段１７０は、例えば、図１に示すように、ＦＥＴやトランジスタなどのスイッチで構成する。電源切り替え手段１７０は、図１に示すように、複雑な構成をしていないため、コストをかからない構成になっている。
【００２８】
ＡＳＩＣ１８０は、ＣＰＵを備えており、省エネモードの制御や、ＰＨＹ１９０を介してネットワーク３００に接続された他の装置に対して省エネモード時に行う自動応答・通知の制御を行う。省エネモードの制御としては、例えば、省エネモードから通常モードに復帰する要因である省エネ復帰要因の管理などがある。
【００２９】
ＡＳＩＣ１８０は、充電量算出手段１８１と、電池電源供給可能時間算出手段１８２と、電源切り替え手段１８３と、ネットワーク手段１８４と、を備えている。
【００３０】
充電量算出手段１８１は、充電池１３０の充電カーブと、充電時間と、充電池の電圧と、充電池への電流と、から充電池１３０の充電量を算出する。充電池１３０に充電を行う際に、充電池１３０が満充電であるかを確認するのに、この充電量算出手段１８１を使用しても良いし、より簡易に、充電池が空の状態から満充電になるまでのかかる充電時間を使用するようにしても良い。
【００３１】
電池電源供給可能時間算出手段１８２は、充電量算出手段１８１により算出された充電量を基づき、充電池１３０により負荷への電力を供給可能な時間を算出する。このとき、供給可能時間としては、充電池１３０が完全に空にならないように、マージンを持つようにし、例えば、充電池１３０の充電量が５０％になるまでの時間を電力供給可能時間として用いるようにすると良い。
【００３２】
電源切り替え制御手段１８３は、電源切り替え手段１７０を制御することにより、電源供給源を切り替える。電源切り替え制御手段１８３は、例えば、ＩＯポートなどで電源切り替え手段１７０の切り替えを行う。
【００３３】
ネットワーク手段１８４は、電源切り替え通知手段１８５と、電源切り替え指示検出手段１８６と、独自パケット生成手段１８７と、独自パケット検出手段１８８と、を備えている。
【００３４】
電源切り替え通知手段１８５は、ネットワーク３００を介して他の装置に対して、電源の切り替えの通知を行う。つまり、電源切り替え通知手段１８５は、画像処理装置１００における電力供給源が、ＡＣ電源手段１１０から、充電池１３０に切り替わったことや、逆に、充電池１３０から、ＡＣ電源手段１１０に切り替わったこと、などを他の装置に通知する。
【００３５】
電源切り替え指示検出手段１８６は、ネットワーク３００を介して他の装置から送信された電源の切り替え指示を検出する。つまり、他の装置から送信された電源の切り替え指示を検出する。
【００３６】
独自パケット生成手段１８７は、電源の切り替えの通知・指示用の独自パケットを生成し、この独自パケットを用いて、他の装置に電源の切り替えの通知を行う。
【００３７】
ここで、独自パケットは、図２に示すような構成にすると良い。図２に示す独自パケット２００は、イーサネット（登録商標）パケットであり、ヘッダ部分であるイーサネットヘッダ２１０と、データ部分２２０と、ＦＣＳ（Frame Check Sequence:フレーム検査シーケンス）２３０と、を有して構成される。
【００３８】
イーサネットヘッダ２１０は、宛先ＭＡＣ（Media Access Control）アドレス２１１と、発信元ＭＡＣアドレス２１２と、イーサネットタイプ２１３とを有して構成される。イーサネットタイプ２１３は、IPv4（Internet Protocol Version 4）、IPv6などを識別するためのフィールドである。
【００３９】
データ部分２２０には、始点ポート番号２２１と、終点ポート番号２２２と、が含まれる。ポート番号のうち、49152〜65535の値は自由に使用可能な番号であるので、この範囲の番号を用いて独自パケットを生成するようにすると良い。データ部分２２０と組み合わせて独自パケット２００を生成することにし、より詳細な電源切り替え通知や指示を行う構成としても良い。
【００４０】
独自パケット検出手段１８８は、上記の電源の切り替えの通知・指示用の独自パケットの検出を行う。
【００４１】
また、上述した電源切り替え通知手段１８５を、ＡＲＰ（Address Resolution Protocol）パケット応答のリトライ回数で代用することも可能である。このようにすると、定期的に自動応答するパケットを利用し、画像処理装置１００の状態を通知することが可能になるため、新たなパケットを生成する必要がなくなる。
【００４２】
ＰＨＹ（Physical Layer）１９０は、ネットワーク用の物理層である。ＰＨＹ１９０は、ＭＩＩ（Media Independent Interface）などのインタフェースにより、ネットワーク３００と接続される。ネットワーク３００には、イーサネットにより、他の画像処理装置１００やサーバ装置などの他の装置が接続されている。
【００４３】
このように、本実施形態の画像処理装置１００は、画像処理装置１００内で発電を行い、その電力を充電池１３０とキャパシタ１５０に蓄え、省エネモード時に必要な電力を供給するの。このため、ＡＣ０Ｗを実現しつつ、画像処理装置としての単位時間あたりのＡＣ消費電力量自体を下げることができる。
【００４４】
＜電力供給源をＡＣ電源１１０等から充電池１３０に切り替える際の処理動作例＞
図３は、本発明の実施形態に係る画像処理装置１００での電源切り替えにおける処理動作例を示す図である。つまり、この処理動作例は、電力供給源をＡＣ電源手段１１０等から充電池１３０に切り替える際の処理動作例である。
【００４５】
充電池１３０の充電量を充電量算出手段１８１により算出する（Ｓ１０１）。充電池１３０により電力を供給可能な時間を電池電源供給可能時間算出手段１８２により算出する（Ｓ１０２）。
【００４６】
そして、算出された充電量と供給可能時間により、充電量が一定の充電量に達しているかを判断する（Ｓ１０３）。達していない場合は（Ｓ１０３、Ｎｏ）、電力供給源を充電池には切り替えない。
【００４７】
達している場合には（Ｓ１０３、Ｙｅｓ）、電力供給源がＡＣ電源手段１１０である省エネモードになってからの時間が、所定の時間に達しているかを判断する（Ｓ１０４）。所定の時間に達していない場合は（Ｓ１０４、Ｎｏ）、電力供給源は充電池１３０には切り替えず、ある一定の時間に達するまで電力供給源をＡＣ電源手段１１０により電力を供給する。
【００４８】
所定の時間に達した場合は（Ｓ１０４、Ｙｅｓ）、電力供給源を充電池１３０に切り替えるかの判断を行う（Ｓ１０５）。ここで、判断の方法としては、例えば、画像処理装置１００自体で判断する方法と、他の装置からの電源切り替えの指示を電源切り替え指示検出手段１８６により検出したかに基づいて判断する方法と、がある。また、独自パケットを独自パケット検出手段１８８により検出したかに基づいて判断する方法もある。
【００４９】
電力供給源を充電池１３０に切り替える場合は（Ｓ１０５、Ｙｅｓ）、電源切り替え制御手段１８３により電源切り替え手段１７０を制御し、電力供給源をＡＣ電源手段１１０等から充電池１３０に切り替える（Ｓ１０６）。
【００５０】
そして、独自パケット生成手段１８７により、電源切り替え（ＡＣ電源手段１１０から充電池１３０）に対応した独自パケットを生成し（Ｓ１０７）、この独自パケットを他の装置に送信することにより電源切り替えの通知を他の装置に行う（Ｓ１０８）。
【００５１】
このように、本実施形態に係る画像処理装置では、装置の内外から電源切り替え指示を検出して制御するため、画像処理装置１００の既存機能を生かした上で、外部の装置から機器の状態を監視するフェイルセーフを考慮した省エネ電源管理が可能である。また、電源切り替え部分は、充電池１３０とＡＣ電力手段１１０の切り替えを行うのみであるの。このため、従来技術に比較して電源切り替え部分のコストを抑えることが可能である。
【００５２】
また、本実施形態では、ある一定の充電量に達するまで電力供給源を充電池１３０に切り替えないよう制御するため、充電池１３０の電池切れを起こさない最大限の時間範囲でＡＣ０Ｗを継続できる。また、本実施形態では、充電池１３０のＤＣ電力供給可能時間を算出し、その算出結果に従い、電源切り替え指示を決定するので、充電池１３０の電池切れを起こさない最大限の時間範囲でＡＣ０Ｗを実現できる。
【００５３】
また、本実施形態では、ＡＣ電源に切り替えた時に、ある一定の時間に達するまで電池電源に切り替えないよう制御するため、充電池やキャパシタの充電時間を確保できる。
【００５４】
また、本実施形態では、電源を切り替えた旨を、ネットワークを介して通知し、電源を切り替える指示を、ネットワークによって検出するため、後述するように、外部ネットワーク接続機器によって、複数の画像処理装置のフェイルセーフや電力管理を行うことができるようになる。
【００５５】
また、本実施形態では、電源を切り替えた旨を、独自パケットを送出することで通知するため、確実に相手へ通知することができるようになる。同様に、本実施形態では、電源を切り替えた旨を独自パケット受信で検出するため、確実に相手の状態を把握することができるようになる。
【００５６】
＜電力供給源を充電池１３０からＡＣ電源手段１１０に切り替える際の処理動作例＞
図４は、本発明の実施形態に係る画像処理装置１００での電源切り替えにおける処理動作例を示す図である。この処理動作例は、電力供給源を充電池１３０からＡＣ電源手段１１０に切り替える際の処理動作である。
【００５７】
充電池１３０により電力を供給可能な時間を電池電源供給可能時間算出手段１８２により算出する（Ｓ２０１）。
【００５８】
省エネモードから通常モードに復帰する要因である省エネ復帰要因が検出されたかを判断する（Ｓ２０２）。省エネ復帰要因としては、画像処理装置１００では、スイッチ操作や原稿セット、外部機器接続、などがある。省エネ復帰要因が検出されたときは（Ｓ２０２、Ｙｅｓ）、ステップＳ２０６の処理に移行する。
【００５９】
省エネ復帰要因が検出されないときは（Ｓ２０２、Ｎｏ）、電池電源供給可能時間算出手段１８２により算出された時間に基づき、電力供給源が充電池１３０になってからの時間が供給可能な時間の範囲であるのかの判断を行う（Ｓ２０３）。供給可能な時間を超えた場合（Ｓ２０３、Ｙｅｓ）、ステップＳ２０６の処理に移行する。
【００６０】
超えていない場合は（Ｓ２０３、Ｎｏ）、独自パケット検出手段１８８により、電源切り替え指示（充電池１３０からＡＣ電源手段１１０への切り替え指示）を示す独自パケットを検出したかを判断する（Ｓ２０４）。電源切り替え指示を示す独自パケットを検出した場合は（Ｓ２０４、Ｙｅｓ）、ステップＳ２０６の処理に移行する。
【００６１】
電源切り替え指示を示す独自パケットを検出しない場合は（Ｓ２０４、Ｎｏ）、電源切り替え指示検出手段１８６により、独自パケット以外の電源切り替え指示を検出したか判断する（Ｓ２０５）。独自パケット以外の電源切り替え指示としては、ＡＳＩＣ１８０により自動応答で対応出来ないパケットなどがある。パケットやそれ以外の電源切り替え指示を検出した場合は（Ｓ２０５、Ｙｅｓ）、ステップＳ２０６の処理に移行し、独自パケット以外の電源切り替え指示を検出しない場合は（Ｓ２０５、Ｎｏ）、ステップＳ２０１に戻る。
【００６２】
ステップＳ２０６では、切り替え指示手段１８３により電源切り替え手段１７０を制御し、電力供給源を充電池１３０からＡＣ電源手段等１１０に切り替える。
【００６３】
そして、独自パケット生成手段１８７により、電源切り替え通知（充電池１３０からＡＣ電源手段１１０の切り替え通知）に対応した独自パケットを生成し（Ｓ２０７）、この独自パケットを他の装置に送信することにより電源切り替えの通知を他の装置に行う（Ｓ２０８）。
【００６４】
＜省エネサーバシステムの構成例＞
図５は、本発明の実施形態に係る省エネサーバシステムの構成例である。本実施形態に係る省エネサーバシステムは、複数の本実施形態に係る画像処理装置１００と、省エネ監視用サーバ４００と、有して構成されており、それぞれがネットワーク３００を介して接続している。
【００６５】
省エネ監視用サーバ４００は、独自パケットを生成する手段と、独自パケットを検出する手段と、を有しており、接続された各画像処理装置１００の電源状態（ＡＣ電源手段１１１０であるか、充電池１３０であるか）を把握し、上記のような電源を制御する手段を有する画像処理装置１００を一括管理する。
【００６６】
このような省エネサーバシステムでは、複数の画像処理装置１００の消費電力を省エネ管理サーバ４００が監視できるため、複数の画像処理装置１００のフェイルセーフやトータル電力管理を行うことが可能である。
【００６７】
上述した実施形態における処理動作は、ハードウェア、または、ソフトウェア、あるいは、両者の複合構成によって実行することも可能である。
【００６８】
なお、ソフトウェアによる処理を実行する場合には、処理シーケンスを記録したプログラムが格納されているＲＯＭ（Read Only Memory）から、専用のハードウェアに組み込まれているコンピュータ内のメモリ（ＲＡＭ）にプログラムを読み込んで実行させるか、あるいは、各種処理が実行可能な汎用コンピュータにプログラムをインストールして実行させることが可能である。
【００６９】
例えば、プログラムは、記録媒体としてのハードディスクやＲＯＭに予め記録しておくことが可能である。あるいは、プログラムは、フロッピー（登録商標）ディスク等の磁気ディスク、ＣＤ（Compact Disc）、ＤＶＤ(Digital Versatile Disc)等の光ディスク、ＭＯ（Magneto Optical）ディスク等の光磁気ディスクなどのリムーバブル記録媒体に、一時的、あるいは、永続的に格納（記録）しておくことが可能である。
【００７０】
このようなリムーバブル記録媒体は、いわゆるパッケージソフトウェアとして提供することが可能である。
【００７１】
なお、プログラムは、上述したようなリムーバブル記録媒体からコンピュータにインストールする他、ダウンロードサイトから、コンピュータに無線転送したり、ＬＡＮ（Local Area Network）、インターネットといったネットワークを介して、コンピュータに有線で転送したりし、コンピュータでは、転送されてきたプログラムを受信し、内蔵するハードディスク等の記録媒体にインストールすることが可能である。
【００７２】
また、上記実施形態で説明した処理動作に従って時系列的に実行されるのみならず、処理を実行する装置の処理能力、あるいは、必要に応じて並列的にあるいは個別に実行するように構築することも可能である。
【００７３】
また、上記実施形態で説明したシステムは、複数の装置の論理的集合構成にしたり、各装置の機能を混在させたりするように構築することも可能である。
【００７４】
以上、本発明の好適な実施の形態により本発明を説明した。ここでは特定の具体例を示して本発明を説明したが、特許請求の範囲に定義された本発明の広範囲な趣旨および範囲から逸脱することなく、これら具体例に様々な修正および変更が可能である。
【００７５】
また、本発明における画像処理装置は、前記充電池の充電量を算出する充電量算出手段をさらに有し、前記電源切り替え制御手段は、前記充電量算出手段により算出された前記充電池の充電量が所定の値より小さいときは、前記電源切り替え手段による前記ＡＣ電源手段から前記充電池への電源の切り替え制御を行わないようにしても良い。
【００７６】
また、本発明における画像処理装置は、前記充電量算出手段により算出された前記充電池の充電量に基づき、前記充電池によるＤＣ電力の供給可能時間を算出する電池電源供給可能時間算出手段をさらに有し、前記電源切り替え制御手段は、前記電池電源供給可能時間算出手段により算出された供給可能時間に基づき、前記電源切り替え手段により電源切り替えを制御するようにしても良い。
【００７７】
また、本発明における画像処理装置は、前記電源切り替え制御手段は、電源が前記ＡＣ電源手段であるとき、電源が前記ＡＣ電源手段に切り替わってからの時間が所定の時間より短い間は、前記電源切り替え手段による前記ＡＣ電源手段から前記充電池への電源の切り替え制御を行わないようにしても良い。
【００７８】
また、本発明における画像処理装置は、前記電源切り替え手段による電源の切り替えが行われたことを他の装置に通知する電源切り替え通知手段をさらに有するようにしても良い。
【００７９】
また、本発明における画像処理装置は、前記電源切り替え通知手段は、ＡＲＰパケット応答のリトライ回数に用いて電源切り替えを通知するようにしても良い。
【００８０】
また、本発明における画像処理装置は、前記電源切り替え通知手段は、電源切り替えについての情報を含む独自パケットを生成し、当該独自パケットにより電源切り替えの通知を行うようにしても良い。
【００８１】
また、本発明における画像処理装置は、前記独自パケットは、前記電源切り替え指示も含んでおり、前記電源切り替え指示検出手段は、前記独自パケットを検出することにより前記電源切り替え指示を検出するようにしても良い。
【符号の説明】
【００８２】
１００    画像処理装置
１１０    ＡＣ電源手段
１２０    発電手段
１３０    充電池
１４０    ＤＣ／ＤＣコンバータ
１５０    キャパシタ
１６０    出力電源
１７０    電源切り替え手段
１８０    ＡＳＩＣ
１８１    充電量算出手段
１８２    電池電源供給時間算出手段
１８３    電源切り替え指示制御手段
１８４    ネットワーク手段
１８５    電源切り替え通知手段
１８６    電源切り替え指示検出手段
１８７    独自パケット生成手段
１８８    独自パケット検出手段
１９０    ＰＨＹ
３００    ネットワーク
４００    省エネ監視用サーバ
【先行技術文献】
【特許文献】
【００８３】
【特許文献１】特開２０１０−３１７８号公報
【図１】
2011254372.tif 000003
【図２】
2011254372.tif 000004
【図３】
2011254372.tif 000005
【図４】
2011254372.tif 000006
【図５】
2011254372.tif 000007